(57)【要約】【課題】  寝具と簀の子との間の通気性を良好にしながらも、それに伴う強度低下を可及的に抑制することができる簀の子を提供する点にある。【解決手段】  所定間隔を置いてほぼ平行に配置した左右方向に長い多数の横板部２を連結し、前記横板部２を載置支持するための支持部５，６を備えてなる簀の子において、前記多数の横板部２の全て又は一部に上下方向に貫通する通気用の孔７を多数形成し、前記各孔７を、寝具の載置上面から前記横板部２の上下厚みの半分よりも上側に位置する設定深さ位置までほぼ同一の大きさにて形成された第１孔７Ａと、この第１孔７Ａの下端から該横板部２の下端面までの範囲に形成された該第１孔７Ａよりも小さな寸法を有する第２孔７Ｂとから構成した。【選択図】        図３
2006037383.tif 000002
【特許請求の範囲】
【請求項１】
所定間隔を置いてほぼ平行に配置した左右方向に長い多数の横板部を連結し、前記横板部を載置支持するための支持部を備えてなる簀の子において、前記多数の横板部の全て又は一部に上下方向に貫通する通気用の孔を多数形成し、前記各孔を、寝具の載置上面から前記横板部の上下厚みの半分よりも上側に位置する設定深さ位置までほぼ同一の大きさにて形成された第１孔と、この第１孔の下端から該横板部の下端面までの範囲に形成された該第１孔よりも小さな寸法を有する第２孔とから構成したことを特徴とする簀の子。
【請求項２】
所定間隔を置いてほぼ平行に配置した左右方向に長い多数の横板部を連結し、前記横板部を載置支持するための支持部を備えてなる簀の子において、前記多数の横板部の全て又は一部に上下方向に貫通する通気用の孔を多数形成し、前記横板部の上面のうちの前記孔が形成されていない上面に上方に突出する突出部を設けたことを特徴とする簀の子。
【請求項３】
前記多数の横板部をそれらの左右方向両端にそれぞれ位置するベルトにて巻き付けて連結し、前記支持部を前記横板部の左右方向特定箇所に取り付けられた複数の台座から構成してなる請求項１又は２記載の簀の子。
【請求項４】
前記台座の上面に、前記横板部に形成された孔に連通して該台座の外部まで該孔からの空気を案内するための案内用溝部を形成してなる請求項３記載の簀の子。
【請求項５】
前記孔を左右方向に所定間隔を置いて多数形成することによって列状に配設してなり、前記台座の案内用溝部を前記列状に配設された孔のほぼ真下に位置する左右方向に長い溝部からなる請求項４記載の簀の子。
【請求項６】
前記第２孔が下端側ほど幅狭となるすり鉢状に構成してなる請求項１記載の簀の子。
【請求項７】
前記横板部の左右両端面を前後方向ほぼ中央部側ほど左右方向外方側に突出する円弧状に形成してなる請求項１〜６のいずれかに記載の簀の子。
【発明の詳細な説明】
【技術分野】
【０００１】
本発明は、敷き布団などの寝具を載せるためのベッドとして使用したり、押入に寝具を収納する場合の載置台として使用するための簀の子に関する。
【背景技術】
【０００２】
上記簀の子は、例えば簀の子を構成する簀の子本体の左右一対の側板部間に出し入れ自在に引き出しケースを組み込み、その引き出しケースの底板部に多数の通気孔を形成すると共に吸湿や脱臭効果のある小袋を引き出しケース内に備えさせて押入内の湿気などを排除することができるようにしている（例えば、特許文献１参照）。
【特許文献１】登録実用新案第３０９１１６１号公報（図１〜図４参照）
【発明の開示】
【発明が解決しようとする課題】
【０００３】
上記特許文献１の簀の子では、押入内での湿気を有効に排除することができるものの、寝具と簀の子本体を構成する多数の横板部の上面との間において通気性が悪いため、寝具自体が湿気を含んでいる場合にその部分に黴などが発生することがあり、改善の余地があった。
【０００４】
本発明が前述の状況に鑑み、解決しようとするところは、寝具と簀の子との間の通気性を良好にしながらも、それに伴う強度低下を可及的に抑制することができる簀の子を提供する点にある。
【課題を解決するための手段】
【０００５】
本発明は、前述の課題解決のために、所定間隔を置いてほぼ平行に配置した左右方向に長い多数の横板部を連結し、前記横板部を載置支持するための支持部を備えてなる簀の子において、前記多数の横板部の全て又は一部に上下方向に貫通する通気用の孔を多数形成し、前記各孔を、寝具の載置上面から前記横板部の上下厚みの半分よりも上側に位置する設定深さ位置までほぼ同一の大きさにて形成された第１孔と、この第１孔の下端から該横板部の下端面までの範囲に形成された該第１孔よりも小さな寸法を有する第２孔とから構成したことを特徴としている。また、所定間隔を置いてほぼ平行に配置した左右方向に長い多数の横板部を連結し、前記横板部を載置支持するための支持部を備えてなる簀の子において、前記多数の横板部の全て又は一部に上下方向に貫通する通気用の孔を多数形成し、前記横板部の上面のうちの前記孔が形成されていない上面に上方に突出する突出部を設けてもよい。
従って、寝具と接触する側の大きな第１孔にて寝具と非接触部分を多く確保しながらも、第１孔よりも小さな第２孔にて空気を下方に移動案内させて、寝具と横板部との接触部における通気性を良好に確保することができる。また、多数の横板部の全て又は一部に形成した通気用の孔を寝具により塞ぐことがないように突起部を設けることによって、通気性をより一層良好に確保することができる。この場合、前記孔を、請求項１と同様に寝具の載置上面から横板部の上下厚みの半分よりも上側に位置する設定深さ位置までほぼ同一の大きさにて形成された第１孔と、この第１孔の下端から横板部の下端面までの範囲に形成された第１孔よりも小さな寸法を有する第２孔とから構成すれば、通気性をさらに高めることができる。
【０００６】
前記多数の横板部をそれらの左右方向両端にそれぞれ位置するベルトにて巻き付けて連結し、前記支持部を前記横板部の左右方向特定箇所に取り付けられた複数の台座から構成してもよい。
【０００７】
前記台座の上面に、前記横板部に形成された孔に連通して該台座の外部まで該孔からの空気を案内するための案内用溝部を形成してもよい。
【０００８】
前記孔を左右方向に所定間隔を置いて多数形成することによって列状に配設してなり、前記台座の案内用溝部を前記列状に配設された孔のほぼ真下に位置する複数の左右方向に長い溝部から構成してもよい。
【０００９】
前記第２孔を下端側ほど幅狭となるすり鉢状に構成してもよい。
【００１０】
前記横板部の左右両端面を前後方向ほぼ中央部側ほど左右方向外方側に突出する円弧状に形成してもよい。
【発明の効果】
【００１１】
寝具と接触する側の大きな第１孔にて寝具と非接触部分を多く確保することによって、通気性を高めることができながらも、第１孔の下端から横板部の下端面までの範囲に形成された第１孔よりも小さな寸法を有する第２孔を備えさせることによって、孔の形成による横板部の強度低下を可及的に抑制することができ、長期間に渡って良好に使用することができる簀の子を提供することができる。また、多数の横板部の全て又は一部に形成した通気用の孔を寝具により塞ぐことがないように突起部を設けることによって、通気性をさらに高めることができる利点がある。この場合の孔を、前記２つの孔から構成することによって、孔の形成による横板部の強度低下を可及的に抑制しながら、通気性を高めることができる。
【００１２】
多数の横板部をそれらの左右方向両端にそれぞれ位置するベルトにて巻き付けて連結し、支持部を横板部の左右方向特定箇所に取り付けられた複数の台座から構成することによって、簀の子を使用しない場合に、渦巻き状に巻き付けた収納状態にすることができる。
【００１３】
台座の上面に、横板部に形成された孔に連通して台座の外部まで孔からの空気を案内するための案内用溝部を形成することによって、台座によって横板部の孔が塞がれることがなく、案内用溝部によって通気を行うことができる。
【００１４】
孔を左右方向に所定間隔を置いて多数形成することによって列状に配設してなり、台座の案内用溝部を列状に配設された孔のほぼ真下に位置する複数の左右方向に長い溝部から構成することによって、溝部を容易迅速に形成することができる。
【００１５】
第２孔を下端側ほど幅狭となるすり鉢状に構成することによって、より一層横板部の強度低下を回避することができる。
【００１６】
横板部の左右両端面を前後方向ほぼ中央部側ほど左右方向外方側に突出する円弧状に形成することによって、簀の子上に寝具を敷く場合に寝具が横板部のほぼ直角となる角部に引っ掛かってしまうことがなく、寝具の敷く作業を迅速に行うことができる利点がある。
【発明を実施するための最良の形態】
【００１７】
図１及び図２に、敷き布団などの寝具を敷いてベッドとして使用することができる簀の子（すのこ）を示している。この簀の子は、所定間隔を置いてほぼ平行に配置した左右方向に長い多数（図では２８本であるが、何本であってもよい）の木製（合成樹脂製でもよい）の横板部１，２を、それら左右両端のそれぞれに巻回されるベルト３を利用して連結し、前記横板部１，２を床面などに載置支持するために該横板部１，２の支持部としての３種類の大きさに構成された直方体でなる台座４，５，６の５個を該横板部１，２の下面の特定箇所に取り付けている。従って、図５に示すように渦巻き状に巻き付けて収納状態とすることができる利点があるが、横板部１，２同士を板部材などにより折り曲げることができない構成としてもよい。尚、前記横板部１，２のベルト３を巻回する部分を他の部分に比べて細くなるように周方向に凹部を形成してあり、ベルト３を凹部に入り込ませて巻回することによって、ベルト３が横板部１，２の長手方向に不測に移動することができないようにしているが、凹部を形成しないで例えば接着剤を用いてベルト３を横板部１，２に固定するようにしてもよい。以下、簀の子の長手方向を前後方向とし、長手方向と直交する簀の子の幅方向を左右方向として説明する。
【００１８】
前記台座４，５，６は、図３（ａ），（ｂ）及び図４にも示すように、横板部１，２の下面に横板部１，２からはみだすことがない大きさに構成されると共に接着剤にて固定される木製（合成樹脂製でもよい）の台座本体４Ａ，５Ａ，６Ａと、この台座本体４Ａ，５Ａ，６Ａの下面に接着剤により固定されるウレタンなどの発泡性合成樹脂や軟質合成樹脂などからなるクッション材としての緩衝部４Ｂ，５Ｂ，６Ｂとからなっているが、緩衝部４Ｂ，５Ｂ，６Ｂを省略して実施したり、台座本体を緩衝材で構成して実施することもできる。又、前記台座４，５，６の個数及び大きさは、図に示されるものに限定されるものではない。
【００１９】
前記横板部１，２のうちの前後方向両端にそれぞれ位置する４本の横板部１を除く中間部に位置する２０本（少なくとも１０本以上が好ましい）の横板部２のそれぞれに上下方向に貫通する通気用の孔７を多数形成している。
前記孔７は、図３（ａ），（ｂ）に示すように、横板部２の寝具の載置上面２Ａから前記横板部２の上下厚みの半分よりも上側に位置する設定深さ位置（ここでは横板部２の上下厚みのほぼ１／４であるが、上下厚みの半分よりも上側であればどのように設定してもよい）までほぼ同一の直径（大きさ）にて形成された円形の第１孔７Ａと、この第１孔７Ａの下端から該横板部２の下端面までの範囲に形成された該第１孔７Ａよりも小さな寸法を有する円形の第２孔７Ｂとから構成している。又、前記第２孔７Ｂを、下端側ほど幅狭となるテーパー形状に構成しているが、上端から下端まで同一径のものであってもよい。具体的には、第１孔７Ａの直径が１０ｍｍ、第２孔７Ｂの上端の直径が５ｍｍ、第２孔７Ｂの下端の直径が２ｍｍとなるようにドリルなどを用いて切削加工するようにしているが、孔７Ａ，７Ｂの大きさは自由に変更可能である。前記孔７を円形にしているのは、ドリルの刃を直径の異なる刃に取り替えるだけで容易迅速に孔７を形成することができる利点があるが、場合によっては矩形状又は多角形状などに形成してもよい。ここでは、２つの異なる孔７Ａ，７Ｂから構成しているが、３つ以上の異なる孔から構成してもよい。
【００２０】
前記孔７は、ベルト３が巻回された左右両端及び特定の２つの台座５，５が取り付けられた部分を除いた部分に形成され、横板部２の前側部分及び後側部分にそれぞれ左右方向に所定間隔をおいて多数の孔を形成することによって前後方向に２つの列状に構成された孔７を配設できるようにしている。そして、左右方向ほぼ中央部に位置する台座６にて前記孔７を塞ぐことがないように該孔７に連通して台座６の外部まで該孔７からの空気を案内するために左右方向に沿って形成された前後一対の案内用溝部６Ｍ，６Ｍを備えさせている。従って、台座６上に相当する４つの孔７からの空気を案内用溝部６Ｍ，６Ｍにて左右両側に案内して、外部に排出することができるようになっている。前記案内用溝部６Ｍ，６Ｍを台座６の上面に形成することによって、溝部６Ｍ，６Ｍを容易迅速に形成することができる利点があるが、貫通孔を形成して実施することもできる。又、前記溝部６Ｍ，６Ｍの形成方向を左右方向にする他、前後方向にしてもよい。図示していないが、前記特定の２つの台座５，５が取り付けられた部分にも孔７を形成する場合には、これら台座５，５にも孔７に連通する溝部を形成して実施することになる。
【００２１】
図１及び図２に示すように、前記横板部１，２の左右両端面１Ｒ，１Ｒ、２Ｒ，２Ｒのそれぞれを前後方向ほぼ中央部ほど左右方向外側側に突出する円弧状となるように形成することによって、横板部１，２の左右両端のそれぞれの前後方向両端部の角部を９０度を超える角度にすることで、例えば布団を簀の子上に載置する場合に布団が横板部１，２の左右両端に引っ掛かることがないようにしている。
【００２２】
図６及び図７（ａ），（ｂ）に示すように、前記横板部２の上面のうちの前記孔７が形成されていない上面、つまり２列の孔７，７間に、上方に突出する棒状の２種類の長さに形成された３つの断面形状がほぼ半円状（三角形状や台形状などどのような形状でもよい）で左右方向に長い棒状の突出部８，９を設けて実施することもできる。図６及び図７（ａ），（ｂ）では、各孔７を下端側ほど幅狭となるすり鉢状（テーパー状）の円形の孔で構成しているが、図３（ａ），（ｂ）で示した大きさの異なる２つの孔７Ａ，７Ｂから構成することによって、さらに保形強度面及び通気面のいずれにおいても有利になる。図示していないが、前記３つの突出部８，９がそれぞれ入り込む凹部を、横板部２の上面に形成することによって、突出部８，９を横板部２に位置決めした状態で迅速に取り付けることができるだけでなく、取り付けた突出部８，９が容易に位置ずれしたり、横板部２から離脱することを確実に防止することができるが、凹部を形成せずに横板部２の表面に突出部８，９を直接接着剤などを用いて取り付けてもよい。又、前記突出部８，９の数を３本にする他、２本又は４本以上あるいは横板部２の左右両端のベルト３の取付部を除いたほぼ全域に渡る長さに構成された１本であってもよい。前記突出部８，９の長手方向（左右方向）両端を端部側ほど下方に位置する傾斜面９Ａに形成して簀の子に布団を載置する際に布団が突出部８，９の端部に引っ掛かることがないようにしているが、傾斜面９Ａを形成しないで実施してもよい。
【図面の簡単な説明】
【００２３】
【図１】簀の子の平面図である。
【図２】簀の子の底面図である。
【図３】簀の子の要部を示し、（ａ）は横板部の孔と台座の溝部との関係を示す斜めから見た縦断面図を示し、（ｂ）は横板部の孔と台座の溝部との関係を示す縦断側面図である。
【図４】簀の子の縦断側面図である。
【図５】渦巻き状に巻いた状態を示す簀の子の斜視図である。
【図６】別の簀の子の平面図である。
【図７】図６で示した簀の子の要部を示し、（ａ）は横板部の孔と台座の溝部との関係を示す斜めから見た縦断面図を示し、（ｂ）は横板部の孔と台座の溝部との関係を示す縦断側面図である。
【符号の説明】
【００２４】
１，２  横板部
１Ｒ  左右両端
２Ａ  載置上面
３  ベルト
４，５，６  台座（直方体）
７  孔
７Ａ，７Ｂ  孔
６Ｍ  案内用溝部
４Ｂ，５Ｂ，６Ｂ  緩衝部
４Ａ，５Ａ，６Ａ  台座本体
８，９  突出部
【図１】
2006037383.tif 000003
【図２】
2006037383.tif 000004
【図３】
2006037383.tif 000005
【図４】
2006037383.tif 000006
【図５】
2006037383.tif 000007
【図６】
2006037383.tif 000008
【図７】
2006037383.tif 000009